(57)【要約】【課題】発信元の電話機と着信先の携帯電話機を効率よく接続することができる発信代行装置及び方法を提供する。【解決手段】発信元の電話機から、発信元の電話機に接続された端末装置に、着信先の電話機の電話番号を送信し、端末装置は、着信先の電話機が携帯電話機であることを判別した時にはＡＤＳＬ通信方式で発信代行装置の中継装置に処理装置の電話番号と、発信元の電話機の電話番号と、着信先の携帯電話機の電話番号とを送信し、中継装置は、電気通信回線を介して処理装置に発信元の電話機の電話番号と、着信先の携帯電話機の電話番号とを送信し、処理装置は、着信先の携帯電話機を呼び出して着信先の携帯電話機が着信状態になったら着信先の携帯電話機と発信元の電話機とを接続する。【選択図】　　　　図２
2004023551.tif 000002
【特許請求の範囲】
【請求項１】
電話通信網の終端に設置され、発信元の電話機に接続された、通信ネットワークのノードに接続可能な端末装置と、
前記通信ネットワークに接続可能な処理装置と、
処理装置に設けられた発信代行携帯電話機とを備え、
端末装置は、発信元の電話機から着信先の携帯電話機の電話番号を受信したら、処理装置に前記通信ネットワークを介して発信元を特定する識別情報と着信先の携帯電話機の電話番号を送信し、
処理装置は、端末装置から発信元を特定する識別情報と着信先の携帯電話機の電話番号とを受信したら、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続する、
発信代行システム。
【請求項２】
請求項１に記載の発信代行システムであって、
端末装置は、前記電話通信網と前記通信ネットワークとの第１の切換手段を備え、
第１の切換手段は、発信元の電話機から受信する着信先の電話機の電話番号が携帯電話機である場合には、端末装置を前記通信ネットワークに接続し、発信元の電話機から受信する着信先の電話機の電話番号が携帯電話機以外である場合には、端末装置を前記電話通信網に接続する、
発信代行システム。
【請求項３】
電話通信網の終端に設置され、発信元の電話機に接続された端末装置と、
所定のアクセス回線を用いて端末装置に接続され、通信ネットワークのノードに接続可能な中継装置と、
前記通信ネットワークに接続可能な処理装置と、
処理装置に設けられた発信代行携帯電話機とを備え、
端末装置は、発信元の電話機から着信先の携帯電話機の電話番号を受信したら、中継装置に所定のアクセス回線を介して発信元を特定する識別情報と処理装置のアドレス情報と着信先の携帯電話機の電話番号を送信し、
中継装置は、端末装置から発信元を特定する識別情報と処理装置のアドレス情報と着信先の携帯電話機の電話番号とを受信したら、前記通信ネットワークを介して処理装置に発信元を特定する識別情報と着信先の携帯電話機の電話番号とを送信し、
処理装置は、中継装置から発信元を特定する識別情報と着信先の携帯電話機の電話番号とを受信したら、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続する、
発信代行システム。
【請求項４】
請求項３に記載の発信代行システムであって、
前記所定のアクセス回線は、電話回線を用いた高速データ伝送方式による通信回線である、
発信代行システム。
【請求項５】
請求項３又は４に記載の発信代行システムであって、
端末装置は、前記電話通信網と前記所定のアクセス回線との第２の切換手段を備え、
第２の切換手段は、発信元の電話機から受信する着信先の電話機の電話番号が携帯電話機である場合には、端末装置を前記所定のアクセス回線に接続し、発信元の電話機から受信する着信先の電話機の電話番号が携帯電話機以外である場合には、端末装置を前記電話通信網に接続する、
発信代行システム。
【請求項６】
請求項１〜５のいずれかに記載の発信代行システムであって、
前記通信ネットワークには、複数の処理装置が接続され、
端末装置から、着信先の携帯電話機の電話番号を受信した処理装置が、発信代行をすることが適切でない場合には、他の処理装置に、前記通信ネットワークを介して、発信元の電話機を特定する識別情報と着信先の携帯電話機の電話番号とを送信する発信代行システム。
【請求項７】
発信元の電話機から着信先の携帯電話機への発信を、発信代行システムを用いて代行する発信代行方法であって、
発信元の電話機から、発信元の電話機に接続された端末装置に、着信先の電話機の電話番号を送信するステップと、
端末装置で、着信先の電話機が携帯電話機であることを判別した場合には、処理装置に、通信ネットワークを介して、発信元の電話機を特定する識別情報と着信先の携帯電話機の電話番号とを送信するステップと、
処理装置で、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続するステップと、
を備える発信代行方法。
【請求項８】
発信元の電話機から着信先の携帯電話機への発信を、発信代行システムを用いて代行する発信代行方法であって、
発信元の電話機から、発信元の電話機に接続された端末装置に、着信先の電話機の電話番号を送信するステップと、
端末装置で、着信先の電話機が携帯電話機であることを判別した場合には、発信代行システムの中継装置に、所定のアクセス回を介して、処理装置のアドレス情報と発信元の電話機の電話番号と着信先の携帯電話機の電話番号とを送信するステップと、
中継装置で、端末装置から処理装置のアドレス情報と発信元の電話機の電話番号と着信先の携帯電話機の電話番号とを受信したら、処理装置に、通信ネットワークを介して、発信元の電話機を特定する識別情報と着信先の携帯電話機の電話番号とを送信するステップと、
処理装置で、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続するステップと、
を備える発信代行方法。
【発明の詳細な説明】
【０００１】
【発明の属する技術分野】
本発明は、発信元の電話機から着信先の電話機への発信を代行する発信代行システム及び発信代行方法に関する。
【０００２】
【従来の技術】
一般的に、固定電話機から携帯電話機に電話をかける際の電話料金は、携帯電話機から携帯電話機に電話をかける際の電話料金よりも割高になっている。そこで、図５に示すように、固定電話機１１０から携帯電話機１８０に発信する場合、固定電話機１１０を電話回線網１３０、電話局の交換機、電話回線網１３１を介して処理装置１７０の発信代行携帯電話機１７１に接続し、発信代行携帯電話機１７１を介して着信先の携帯電話機１８０に発信する発信代行システムが知られている。
この発信代行システムを用いれば、固定電話機１１０のユーザーが支払う料金は、電話回線網１３０、１３１の使用料金と、発信代行システムを管理する発信代行サービス会社に支払う手数料である。発信代行システムは、発信代行携帯電話機１７１を用いて着信先の携帯電話機１８０に発信するため、処理装置１７０と発信元の固定電話機１１０とが同一市内局番地域に存在するのであれば、電話回線網１３０及び電話回線網１３１の使用料金（固定電話機１１０と発信代行装置間の通信料金）を含めても、固定電話機１１０と携帯電話機１８０との通話料金は、発信代行システムを介して携帯電話機１８０に発信する場合の方が料金が安い。
【０００３】
【発明が解決しようとする課題】
従来の発信代行システムでは、割安の通信サービスを提供するために、ユーザー宅が存在する同一市内局番地域に、少なくとも１つの処理装置１７０を設置する必要があった。このため、各地に処理装置１７０を設ける必要があり、発信代行システムの設置と運営にかかるコストが高価であった。
また、従来の発信代行システムでは、１つの処理装置に種々の発信元の固定電話機から着信先の携帯電話機への呼出信号が集中すると、呼出要求に対応できなくなるという問題点があった。これは、発信元固定電話機と処理装置との間で同時に通信できる回線数は、処理装置１７０に電話回線網１３１から引き込んでいる回線数に制限されることに起因する。
これらのために、発信代行システムの発信代行の機能は制限されることがあり、効率が良くない。
そこで、本発明は、発信元の電話機と着信先の電話機を安価に効率よく接続することができる発信代行システム及び方法を提供することを目的とする。
【０００４】
【課題を解決する手段】
前記課題を達成するための請求項１に記載の発信代行システムは、電話通信網の終端に設置され、発信元の電話機に接続された通信ネットワークのノードに接続可能な端末装置と、前記通信ネットワークに接続可能な処理装置と、処理装置に設けられた発信代行携帯電話機とを備えている。端末装置は、発信元の電話機から着信先の携帯電話機の電話番号を受信したら、処理装置に前記通信ネットワークを介して発信元を特定する識別情報と着信先の携帯電話機の電話番号を送信する。そして、処理装置は、端末装置から発信元を特定する識別情報と着信先の携帯電話機の電話番号とを受信したら、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続する。
請求項１に記載の発信代行システムによれば、着信先の電話機が携帯電話機である場合には、通信ネットワークを介して発信元の電話機と着信先の電話機を通話可能に接続することができる。
ここで、「通信ネットワーク」とは、例えば、インターネット等のＩＰ網である。また、通信ネットワークは、電話通信網を用いたネットワークであってもよく、一部が電話通信網を用いていてもよい。
これにより、発信元の電話機と着信先の電話機を安価に効率よく接続することができる。
【０００５】
また、請求項２に記載の発信代行システムは、請求項１に記載の発信代行システムであって、端末装置は、前記電話通信網と前記通信ネットワークとの第１の切換手段を備えている。そして、第１の切換手段は、発信元の電話機から受信する着信先の電話機の電話番号が携帯電話機である場合には、端末装置を前記通信ネットワークに接続し、発信元の電話機から受信する着信先の電話機の電話番号が携帯電話機以外である場合には、端末装置を前記電話通信網に接続する。
請求項２に記載の発信代行システムによれば、端末装置を、電話通信網もしくは通信ネットワークに接続することが容易である。
ここで、「第１の切換手段」とは、例えば、端末装置のＣＰＵが実行するプログラムのステップである。
【０００６】
また、請求項３に記載の発信代行システムは、電話通信網の終端に設置され、発信元の電話機に接続された端末装置と、所定のアクセス回線を用いて端末装置に接続され、通信ネットワークのノードに接続可能な中継装置と、前記通信ネットワークに接続可能な処理装置と、処理装置に設けられた発信代行携帯電話機とを備えている。端末装置は、発信元の電話機から着信先の携帯電話機の電話番号を受信したら、中継装置に所定のアクセス回線を介して発信元を特定する識別情報と処理装置のアドレス情報と着信先の携帯電話機の電話番号を送信する。そして、中継装置は、端末装置から発信元を特定する識別情報と処理装置のアドレス情報と着信先の携帯電話機の電話番号とを受信したら、前記通信ネットワークを介して処理装置に発信元を特定する識別情報と着信先の携帯電話機の電話番号とを送信する。そして、処理装置は、中継装置から発信元を特定する識別情報と着信先の携帯電話機の電話番号とを受信したら、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続する。
請求項３に記載の発信代行システムによれば、着信先の電話機が携帯電話機である場合には、中継装置、通信ネットワークを介して発信元の電話機と着信先の電話機を通話可能に接続することができる。
ここで、「所定のアクセス回線」とは、例えば、電話回線を用いたＡＤＳＬ通信回線や、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）通信回線である。
これにより、発信元の電話機と着信先の電話機を安価に効率よく接続することができる。
【０００７】
また、請求項４に記載の発信代行システムは、請求項３に記載の発信代行システムであって、前記所定のアクセス回線が電話回線を用いた高速データ伝送方式による通信回線である。
ここで、「電話回線を用いた高速データ伝送方式」とは、例えば、ＡＤＳＬ通信のように、音声信号を伝送する時以上の広帯域（通常、４ｋＨｚ以上）の通信路が必要とされるデータ伝送を、電話回線を用いて実現するデータ伝送方式である。ＡＤＳＬ通信は、既設の電話回線を用いて高速なデータ伝送を可能にしたデジタル技術（ｘＤＳＬ）の中で、現在もっとも普及している方式である。
これにより、発信元の電話機と着信先の携帯電話機を迅速に接続することができる。
【０００８】
また、請求項５に記載の発信代行システムは、請求項３又は４に記載の発信代行システムであって、端末装置は、前記電話通信網と前記所定のアクセス回線との第２の切換手段を備えている。そして、第２の切換手段は、発信元の電話機から受信する着信先の電話機の電話番号が携帯電話機である場合には、端末装置を前記所定のアクセス回線に接続し、発信元の電話機から受信する着信先の電話機の電話番号が携帯電話機以外である場合には、端末装置を前記電話通信網に接続する。
請求項５に記載の発信代行システムによれば、端末装置を、電話通信網もしくは所定のアクセス回線に接続することが容易である。
ここで、「第２の切換手段」とは、例えば、端末装置のＣＰＵが実行するプログラムのステップである。
【０００９】
また、請求項６に記載の発信代行システムは、請求項１〜５のいずれかに記載の発信代行システムであって、前記通信ネットワークには、複数の処理装置が接続されている。そして、端末装置から、着信先の携帯電話機の電話番号を受信した処理装置が、発信代行をすることが適切でない場合には、他の処理装置に、前記通信ネットワークを介して、発信元の電話機を特定する識別情報と着信先の携帯電話機の電話番号とを送信する。
請求項６に記載の発信代行システムによれば、着信先の携帯電話機の電話番号を受信した処理装置が発信代行をすることが適切でない場合には、他の処理装置が発信代行をすることができる。
これにより、発信元の電話機と着信先の電話機を効率よく接続することができる。
【００１０】
また、請求項７に記載の発信代行方法は、発信元の電話機から着信先の携帯電話機への発信を、発信代行システムを用いて代行する発信代行方法であって、発信元の電話機から、発信元の電話機に接続された端末装置に、着信先の電話機の電話番号を送信するステップと、端末装置で、着信先の電話機が携帯電話機であることを判別した場合には、処理装置に、通信ネットワークを介して、発信元の電話機を特定する識別情報と着信先の携帯電話機の電話番号とを送信するステップと、処理装置で、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続するステップとを備えている。
請求項７に記載の発信代行方法によれば、着信先の電話機が携帯電話機である場合には、通信ネットワークを介して発信元の電話機と着信先の電話機を通話可能に接続することができる。これにより、発信元の電話機と着信先の電話機を安価に効率よく接続することができる。
【００１１】
また、請求項８に記載の発信代行方法は、発信元の電話機から着信先の携帯電話機への発信を、発信代行システムを用いて代行する発信代行方法であって、発信元の電話機から、発信元の電話機に接続された端末装置に、着信先の電話機の電話番号を送信するステップと、端末装置で、着信先の電話機が携帯電話機であることを判別した場合には、発信代行システムの中継装置に、所定のアクセス回線を介して、処理装置のアドレス情報と発信元の電話機の電話番号と着信先の携帯電話機の電話番号とを送信するステップと、中継装置で、端末装置から処理装置のアドレス情報と発信元の電話機の電話番号と着信先の携帯電話機の電話番号とを受信したら、処理装置に、通信ネットワークを介して、発信元の電話機を特定する識別情報と着信先の携帯電話機の電話番号とを送信するステップと、処理装置で、発信代行携帯電話機を用いて着信先の携帯電話機に呼出信号を送信し、着信先の携帯電話機が発信代行携帯電話機から送信された呼出信号に応答した場合には、発信元の電話機と着信先の携帯電話機を前記通信ネットワークを介して通話可能に接続するステップとを備えている。
請求項８に記載の発信代行方法によれば、着信先の電話機が携帯電話機である場合には、中継装置、通信ネットワークを介して発信元の電話機と着信先の電話機を通話可能に接続することができる。これにより、発信元の電話機と着信先の電話機を安価に効率よく接続することができる。
【００１２】
【発明の実施の形態】
以下に、本発明の第１の実施の形態を、図１〜図３を参照して説明する。
図１、図２は、発信元インターフェース（端末装置）２０と、電話局に設けられる中継装置４０と、処理装置７０を有する発信代行システムの第１の実施の形態の概略図を示している。
また、第１の実施の形態では、発信元インターフェース２０から中継装置４０までのアクセス回線が、電話回線を用いたＡＤＳＬ通信である発信代行システムについて説明する。
【００１３】
図１に示すように、ＡＤＳＬ通信を契約しているユーザーＡ宅、ＡＤＳＬ通信を契約していないユーザーＢ、Ｃ宅の固定電話機が、電話回線網３０に接続されている。
このうち、ＡＤＳＬ通信を契約しているユーザーＡ宅の発信元の固定電話機１０は、電話回線網３０とのインターフェースである発信元インターフェース２０を介して電話回線網３０に接続されている。
発信元インターフェース２０には、発信元の固定電話機１０が電話をかけた先（着信先）の電話機が携帯電話機であるか否かを判別する切換手段（請求項中の、第２の切換手段）２１、ＡＤＳＬ通信を行うためのデータ変調及び復調装置であるＡＤＳＬモデム２２、音声信号とＡＤＳＬ信号（デジタルデータ信号）を分離もしくは合成するスプリッタ２３が設けられている。
発信元の固定電話機１０は、切換手段２１の入出力ポート２１ｃに接続されている。そして、切換手段２１の入出力ポート２１ａは、スプリッタ２３の入出力ポート２３ａ（音声信号側）に接続されている。また、切換手段２１の入出力ポート２１ｂは、ＡＤＳＬモデム２２の一方の入出力ポートに接続されている。また、ＡＤＳＬモデム２２の他方の入出力ポートは、スプリッタ２３の入出力ポート２３ｂ（デジタルデータ信号側）に接続されている。また、スプリッタ２３の入出力ポート２３ｃは、電話回線網３０に接続されている。
ＡＤＳＬモデム２２の一方の入出力ポートには、ＰＣ１１等の機器も接続されていてもよい。
切換手段２１は、例えば、発信元インターフェース２０のＣＰＵ（図示していない。）が実行するプログラムのステップである。
【００１４】
ここで、ＡＤＳＬモデム２２は、ＡＤＳＬ通信を行うためのデータ変調及び復調装置である。第１の実施の形態では、着信先の電話機が携帯電話機である場合、発信元の固定電話機１０の音声信号等のアナログ信号をＡＤＳＬ通信が可能なＡＤＳＬ信号に変換する。また、ＡＤＳＬ通信で受信したＡＤＳＬ信号を固定電話機１０を介して聞き取ることができる音声信号等のアナログ信号に変換する。また、スプリッタ２３は、音声信号等のアナログ信号と、ＡＤＳＬ信号やＰＣ１１のデジタルデータ信号とを分離（復調）または１本の伝送路で送信できるように変調する。例えば、スプリッタ２３を用いて、発信元の固定電話機１０の音声信号等のアナログ信号（着信先の電話機が携帯電話ではない場合）と、ＰＣ１１が送受信するデジタルデータ信号とを１本の伝送路で混ざらずに送信できるようにデジタルデータ信号を変調して同時に電話回線網３０を使用することができる。また、ＡＤＳＬモデム２２とスプリッタ２３を用いて、アナログ信号とＡＤＳＬ信号とを１本の伝送路で伝送周波数帯域を違えて送信して同時に電話回線網３０を使用することができる。これにより、固定電話機１０のアナログ信号での通話状態とは関係なく、ＡＤＳＬモデム２２、スプリッタ２３を介してデジタルデータ通信が常時可能である。
【００１５】
また、図２に示すように、通常、電話局に設けられている中継装置４０は電話回線網３０、３１に接続されている。中継装置４０には、例えば、電話回線網３０を介して受信したアナログ信号やＡＤＳＬ信号を、ＡＤＳＬ通信を契約しているユーザーＡとＡＤＳＬ通信を契約していないユーザーＢ、Ｃの信号に分離するＭＤＦ（主配線盤）４３、ユーザーＡの音声信号等のアナログ信号とＡＤＳＬ信号を分離するスプリッタ４１、ＡＤＳＬモデム４２、発信元の電話機と着信先の電話機を接続する交換機４４、ＩＰ網上で音声通話を実現するためにＡＤＳＬ信号をＬＡＮ信号に変換するＶｏＩＰ（Ｖｏｉｃｅ　Ｏｖｅｒ　ＩＰ）ゲートウェイ４５が設けられている。すなわち、中継装置４０は、発信元インターフェース２０とネットワーク上のノードであるプロバイダ５０とを中継する装置である。そして、中継装置４０自身も一種の中継ノードである。したがって、アクセス回線を集めて、上層のノードであるプロバイダ５０やインターネット６０に接続する機能を持っている。
ＭＤＦ４３の一方の入出力ポートは、電話回線網３０に接続されている。ＭＤＦ４３の他方の入出力ポートは、スプリッタ４１の入出力ポート４１ａと交換機４４に接続されている。スプリッタ４１の入出力ポート４１ｂは交換機４４に、入出力ポート４１ｃは、ＡＤＳＬモデム４２の一方の入出力ポートに接続されている。
なお、ＭＤＦ４３の切換機能は、例えば、中継装置４０のＣＰＵが実行するプログラムのステップである。
また、ＡＤＳＬモデム４２の他方の入出力ポートは、ＶｏＩＰゲートウェイ４５の一方の入出力ポートに接続されている。また、ＶｏＩＰゲートウェイ４５の他方の入出力ポートは、光ファイバーケーブル等の専用回線（ＶｏＩＰ通信用の回線）でプロバイダ５０と接続されている。
【００１６】
電話回線網３１には、例えば、固定電話機９０が接続されている。
一方、ＶｏＩＰゲートウェイ４５と接続されているプロバイダ５０は、インターネット６０に接続されている。また、インターネット６０には、プロバイダ５５やその他のインターネット６０を介して情報を送受信する機器（図示していない。）が接続されている。
また、例えば、発信代行システムの処理装置７０のゲートウェイ７２は、プロバイダ５５を介してインターネット６０に接続されている。処理装置７０には複数の発信代行携帯電話機が設けられていて、例えば、発信代行携帯電話機７１が、発信元の固定電話機１０で電話をかけた着信先の携帯電話機８０に発信を代行する。
なお、図１には、発信元インターフェース２０を備えた発信元の固定電話機１０が１台しか記載されていないが、適宜の台数設けることができる。
プロバイダ５０、５５は不要であれば、なくてもよい。
また、中継装置４０とプロバイダ５０間の専用回線は、任意である。光ファイバーケーブルではなくてもよい。
また、処理装置７０とインターネット６０間の回線も任意である。
なお、処理装置７０とインターネット６０との接続は、商用サービスプロバイダを介してもよい。
また、発信元インターフェース２０から中継装置４０までのアクセス回線が、電話回線を用いたＡＤＳＬ通信ではなく、その他の通信方式を用いてもよい。例えば、ＩＳＤＮ回線でもよい。
また、中継装置４０からインターネット６０のノードもしくはアクセスポイント（プロバイダ５０）までは、地域ＩＰ網を利用したアクセス回線（例えば、通信会社が提供するインターネット接続用の定額通話料サービス等）を用いてもよい。
【００１７】
次に、第１の実施の形態の発信代行システムの動作について説明する。
例えば、固定電話機１０に設けられているダイヤルキーを用いて着信先の携帯電話機８０の電話番号（例えば、０９０−１２３４−５６７８）が入力されると、発信元の固定電話機１０は、着信先の携帯電話機８０の電話番号（０９０−１２３４−５６７８）を発信元インターフェース２０に送信する（図１の（１））。発信元インターフェース２０の切換手段２１は、携帯電話機への発信であること（例えば、着信先の電話番号の先頭３桁が「０９０」であること）を判別すると、切換手段２１の入出力ポート２１ｂからＡＤＳＬモデム２２に、着信先の携帯電話機８０の電話番号（０９０−１２３４−５６７８）を送信する（図１の（２））。ＡＤＳＬモデム２２では、発信元の固定電話機１０の電話番号（０５２−９８７−６５４３）と、着信先の携帯電話機８０の電話番号（０９０−１２３４−５６７８）をＡＤＳＬ通信方式のデジタルデータ信号に変換してスプリッタ２３の入出力ポート２３ｂに送信する（図１の（３））。スプリッタ２３は、入出力ポート２３ｂに入力された発信元の固定電話機１０の電話番号（０５２−９８７−６５４３）と、着信先の携帯電話機８０の電話番号（０９０−１２３４−５６７８）と、処理装置７０のアドレス情報を、電話回線網３０を介して、電話局に設けられた中継装置４０にＡＤＳＬ通信方式で送信する（図１、図２の（４））。
【００１８】
中継装置４０のＭＤＦ４３では、ユーザーＡ宅の発信元インターフェース２０から電話回線網３０を介して音声信号等のアナログ信号やＡＤＳＬ信号を受信すると、ＡＤＳＬ通信の契約者からの信号であることを判別して、スプリッタ４１に送信する（図２の（５））。
スプリッタ４１では、音声信号等のアナログ信号とＡＤＳＬ信号を分離する。本実施の形態では、発信元インターフェース２０からＡＤＳＬ信号が送信される（発信元の固定電話機１０の電話番号と、着信先の携帯電話機８０の電話番号と、処理装置７０のアドレス情報）。そこで、当該ＡＤＳＬ信号は、ＡＤＳＬモデム４２に送信される（図２の（６））。
このように、発信元インターフェース２０から送信されたデータがＡＤＳＬ信号であれば（ユーザーＡ宅で発信元の固定電話機１０を用いて携帯電話機に電話をかけた場合、及びＰＣ１１からの送信）、当該ＡＤＳＬ信号は、ＡＤＳＬモデム４２に送信される。一方、発信元インターフェース２０から送信されたデータがアナログ信号であれば（ユーザーＡ宅で発信元の固定電話機１０を用いて携帯電話機以外の電話に電話をかけた場合）、当該アナログ信号はスプリッタ４１で分離されて、交換機４４に送信される。
ＡＤＳＬモデム４２は、当該ＡＤＳＬ信号を受信したら、当該ＡＤＳＬ信号をＶｏＩＰゲートウェイ４５に送信する（図２の（７））。
【００１９】
ＶｏＩＰゲートウェイ４５では、当該ＡＤＳＬ信号をインターネット６０通信用のＬＡＮ信号（発信元の固定電話機１０の電話番号と、着信先の携帯電話機８０の電話番号と、処理装置７０のアドレス情報）に変換して、ＶｏＩＰ専用回線（例えば、光ファイバーケーブル）を介してプロバイダ５０に送信する。プロバイダ５０は、当該ＬＡＮ信号に含まれる処理装置７０のアドレス情報に基づいて、インターネット６０、プロバイダ５５を介して処理装置７０のＶｏＩＰゲートウェイ７２に当該ＬＡＮ信号を送信する（図２の（８））。
当該ＬＡＮ信号は、着信先の携帯電話機８０の電話番号（０９０−１２３４−５６７８）が含まれているので、処理装置７０は、当該ＬＡＮ信号を受信すると発信代行携帯電話機７１を介して着信先の携帯電話機８０に呼出し信号を送信する。処理装置７０で、どのような処理をして、発信代行携帯電話機７１を用いて発信代行を実施するかについては、任意である。
【００２０】
着信先の携帯電話機８０は、呼出信号を受信すると、例えば、着信音で携帯電話機８０のユーザーに着信を報知する。携帯電話機８０のユーザーが、例えば、携帯電話機８０の通話キー（図示していない）を操作すると、発信代行携帯電話機７１が設けられた処理装置７０、プロバイダ５５、インターネット６０、プロバイダ５０、中継装置４０、電話回線網３０（ＡＤＳＬ通信）、発信元インターフェース２０を介して着信先の携帯電話機８０と発信元の固定電話機１０を接続し通話可能状態とする。
このようにして、発信元の固定電話機１０のユーザーは、着信先の携帯電話機８０のユーザーと通話することができる。
処理装置７０では、所定の課金処理を行い、発信代行システムを管理する発信代行会社は、例えば、所定の期間毎に発信元の固定電話機１０のユーザーに手数料の請求書を発行する。
第１の実施の形態によれば、インターネット６０を介してデータが送受信されるので、処理装置７０を各地に設置する必要がなく、処理装置７０が市外にあっても、高価な市外通話料金が課せられる必要がないので発信代行システムの運営コストを低減させることができる。また、設置コストを低減させることができる。
【００２１】
また、一方、発信元の固定電話機１０が、固定電話機９０に電話をかけた時には、発信元インターフェース２０の切換手段２１は、携帯電話機への発信ではないことを判別して、切換手段２１の入出力ポート２１ａからスプリッタ２３に音声信号などのアナログ信号を送信する。当該アナログ信号は、電話回線網３０を介して中継装置４０に送信される。そして、当該アナログ信号は、中継装置４０のスプリッタ４１で、ＡＤＳＬ信号と分離され、交換機４４に送信される。交換機４４は、当該アナログ信号を受信したら、電話番号情報を解析して回線交換動作を行い、電話回線網３１を介して着信先の固定電話機９０に接続する。
このように、発信元の固定電話機１０が、固定電話機９０に電話をかけた時には、電話回線網のアナログ信号を用いたデータ伝送方式で、発信元の固定電話機１０と固定電話機９０が接続され、通話可能状態となる。
また、ＡＤＳＬ通信の契約をしていないユーザーＢ、Ｃが固定電話機９０に電話をする場合、音声等のアナログ信号は、電話局の中継装置４０のＭＤＦ４２でＡＤＳＬ通信の契約者のアナログ信号もしくはＡＤＳＬ信号と分離され、交換機４４にそのまま送信される。
なお、中継装置４０は、全体として、受信した信号（例えば、ＡＤＳＬ信号）をＩＰ網上で音声通話を実現するための信号（例えば、ＬＡＮ信号）にプロトコル変換する機能を有していればよい。したがって、中継装置４０の構成は第１の実施の形態に限定されるものではない。第１の実施の形態では、ＶｏＩＰゲートウェイ４５がＡＤＳＬ信号をＬＡＮ信号にプロトコル変換する機能を有していて、ＡＤＳＬモデム４２はユーザーＡ側から送信されたＡＤＳＬ信号を通過させている場合について説明した（この場合、ＡＤＳＬモデム４２は、必須構成要件ではない。）。しかしながら、例えば、ＡＤＳＬモデム４２がＡＤＳＬ信号をＬＡＮ信号にプロトコル変換する機能を有している場合、ＶｏＩＰゲートウェイ４５はなくてもよい。また、この場合、ＶｏＩＰゲートウェイ４５の位置にルータ（図示していない。）があってもよい。ここでいうルータとは、システム間相互接続規格（例えば、ＯＳＩ）の所定階層（例えば、レイヤ４）以上のプロトコルが一致しているネットワーク間または回線間を接続する装置である。
【００２２】
次に、本発明の第２の実施の形態を、図４を参照して説明する。
図４は、発信元インターフェース（端末装置）２２０と、処理装置２７０を有する発信代行システムの第２の実施の形態の概略図を示している。
図４に示すように、ユーザーＡ〜Ｃ宅の固定電話機が、電話回線網２３０に接続されている。
このうち、ユーザーＡ宅の発信元の固定電話機２１０は、電話回線網２３０とのインターフェースである発信元インターフェース２２０を介して電話回線網２３０に接続されている。
発信元インターフェース２２０には、発信元の固定電話機２１０が電話をかけた先（着信先）の電話機が携帯電話機であるか否かを判別する切換手段（第１の切換手段）２２１、電話番号や音声信号等をインターネット２６０等のＩＰ網を介して送受信できるデータ形式（例えば、一種のＬＡＮであるインターネット用の信号）に変換するデータ変換装置２２５が設けられている。
発信元の固定電話機２１０は、切換手段２２１の入出力ポート２２１ｃに接続されている。そして、切換手段２２１の入出力ポート２２１ａは、電話回線網２３０に接続されている。また、切換手段２２１の入出力ポート２２１ｂは、データ変換手段２２５の一方の入出力ポートに接続されている。データ変換手段２２５の他方の入出力ポートは、ＶｏＩＰ専用回線（例えば、光ファイバーケーブル）でプロバイダ２５０と接続されている。
そして、プロバイダ２５０は、インターネット２６０に接続されている。また、インターネット２６０には、プロバイダ２５５やその他のインターネット２６０を介して情報を送受信する機器（図示していない。）が接続されている。
また、例えば、発信代行システムの処理装置２７０のゲートウェイ２７２が、プロバイダ２５５を介してインターネット２６０に接続されている。処理装置２７０には複数の発信代行携帯電話機が設けられ、例えば、発信代行携帯電話機２７１が、発信元の固定電話機２１０が電話を掛けた着信先の携帯電話機２８０に発信を代行する。
なお、図４には、発信元インターフェース２２０を備えた発信元の固定電話機２１０が１台しか記載されていないが、適宜の台数設けることができる。
プロバイダ２５０、２５５、ゲートウェイ２７２は、不要であればなくてもよい。
また、発信元インターフェース２２０とプロバイダ２５０間の専用回線は、任意である。光ファイバーケーブルではなくてもよい。
また、処理装置２７０とインターネット２６０間の回線も任意である。
なお、処理装置２７０とインターネット２６０との接続は、商用サービスプロバイダを介してもよい。
なお、切換手段２２１は、例えば、発信元インターフェース２２０のＣＰＵ（図示していない。）が実行するプログラムのステップである。
【００２３】
次に、第２の実施の形態の発信代行システムの動作について説明する。
例えば、固定電話機２１０に設けられているダイヤルキーを用いて着信先の携帯電話機２８０の電話番号（例えば、０９０−１２３４−５６７８）が入力されると、発信元の固定電話機２１０は、着信先の携帯電話機２８０の電話番号（０９０−１２３４−５６７８）を発信元インターフェース２２０に送信する（図４の（１））。発信元インターフェース２２０の切換手段２２１は、携帯電話機への発信であること（例えば、着信先の電話番号の先頭３桁が「０９０」であること）を判別すると、切換手段２２１の入出力ポート２２１ｂからデータ変換手段２２５に、着信先の携帯電話機２８０の電話番号（０９０−１２３４−５６７８）を送信する（図４の（２））。データ変換手段２２５では、発信元の固定電話機２１０の電話番号（０５２−９８７−６５４３）と、着信先の携帯電話機２８０の電話番号（０９０−１２３４−５６７８）と、処理装置２７０のアドレス情報をインターネット２６０を介して送受信できるＬＡＮ信号に変換して、専用回線２００を介してプロバイダ２５０に送信する。プロバイダ２５０は、当該ＬＡＮ信号に含まれる処理装置２７０のアドレス情報に基づいて、インターネット２６０、プロバイダ２５５を介して処理装置２７０のゲートウェイ２７２に当該ＬＡＮ信号を送信する（図４の（３））。
当該ＬＡＮ信号は、着信先の携帯電話機２８０の電話番号（０９０−１２３４−５６７８）が含まれているので、処理装置２７０は、当該ＬＡＮ信号を受信すると発信代行携帯電話機２７１を介して着信先の携帯電話機２８０に呼出し信号を送信する。処理装置２７０で、どのような処理で、発信代行携帯電話機２７１を用いて発信代行を実施するかについては、任意である。
【００２４】
着信先の携帯電話機２８０は、呼出信号を受信すると、例えば、着信音で携帯電話機２８０のユーザーに着信を報知する。携帯電話機２８０のユーザーが、例えば、携帯電話機２８０の通話キー（図示していない）を操作すると、発信代行携帯電話機２７１が設けられた処理装置２７０、プロバイダ２５５、インターネット２６０、プロバイダ２５０、発信元インターフェース２２０を介して着信先の携帯電話機２８０と発信元の固定電話機２１０を接続し通話可能状態とする。このようにして、発信元の固定電話機２１０のユーザーは、着信先の携帯電話機２８０のユーザーと通話することができる。
処理装置２７０では、所定の課金処理を行い、発信代行システムを管理する発信代行会社は、例えば、所定の期間毎に発信元の固定電話機２１０のユーザーに手数料の請求書を発行する。
第２の実施の形態によれば、着信先の電話機が携帯電話機である場合には、電話回線網２３０を用いなくてもよいので、ユーザーＡは、電話回線網２３０の使用料金を支払わなくてもよい。これにより、安価に発信元の固定電話機２１０と着信先の携帯電話機２８０を接続することができる。
また、第２の実施の形態によれば、インターネット２６０を介してデータが送受信されるので、処理装置２７０を各地に設置する必要がなく、処理装置２７０が市外にあっても、高価な市外通話料金が課せられる必要がないので発信代行システムの運営コストを低減させることができる。また、設置コストを低減させることができる。
【００２５】
また、一方、発信元の固定電話機２１０が、固定電話機（図示していない。）に電話をかけた時には、発信元インターフェース２２０の切換手段２２１は、携帯電話機への発信ではないことを判別してアナログ信号を送信する。当該アナログ信号は、電話回線網２３０を介して、電話局の交換機に送信される。交換機は、当該アナログ信号を受信したら、電話番号情報を解析して回線交換動作を行い、電話回線網を介して固定電話機に接続する。
このように、発信元の固定電話機２１０が、固定電話機に電話をかけた時には、電話回線網２３０でアナログ信号を用いたデータ伝送方式で、発信元の固定電話機２１０と着信先の固定電話機が接続され、通話可能状態となる。
【００２６】
本発明の構成及び動作は、第１、第２の実施の形態に限定されるものではない。
また、発信元インターフェース２０、２２０から発信元を特定する識別情報として、発信元の固定電話機１０、２１０の電話番号を送信したが、発信元のＩＤ番号を送信してもよい。また、両方を送信してもよい。
また、発信元の固定電話機１０のユーザーが携帯電話機に電話をかけたことを、判別する方法は、着信先の電話番号の先頭３桁が「０９０」であることを判別する方法以外にも、種々の方法が考えられる。
また、発信元の電話機は、固定電話機でなくてもよい。また、着信先の電話機は、携帯電話機でなくてもよい。
また、中継装置４０と発信元インターフェース２０の間のデータ送受信の手段は、電話回線を用いたＡＤＳＬ通信に限定されるものではない。
また、図３に示すように、発信元インターフェース２０で指定した処理装置７０が発信代行をすることが適切ではない場合には、インターネット６０に接続されている他の処理装置に発信代行を代替させてもよい。ここで、発信代行をすることが適切ではない場合とは、例えば、処理装置７０に設けられた発信代行携帯電話機が全て使用中である場合等が考えられる。このような場合、処理装置７０は、発信代行動作が不可能であるので、処理装置７０は発信代行動作を代替させる処理装置７０ｂに、着信先の携帯電話機８０の電話番号と、発信元の固定電話機１０の電話番号を送信する。処理装置７０ｂの発信代行携帯電話機７１ｂは、着信先の携帯電話機８０に呼出信号を送信する。このように、処理装置７０をインターネット６０経由で接続することで、１つの処理装置に多数の発信元の電話機から着信先の携帯電話機への呼出信号が集中しても、他の処理装置７０ａ〜ｃに発信代行動作を代替させることができるので、一層効率良く発信代行動作を行うことができる。また、他の処理装置に代替させるのは、処理装置７０が発信代行動作が不可能な場合でなくてもよい。例えば、インターネット６０に接続されている複数の処理装置を管理している管理装置があって、効率良く発信代行動作ができるように、各処理装置に発信代行動作を割り振るようにしてもよい。これによれば、任意の処理装置に携帯電話機の呼出要求が集中した時に、発信代行システム全体として、呼出要求に対応することができる。
また、第１及び第２の実施の形態で、発信元インターフェース２０、２２０は、発信元の固定電話機１０、２１０の電話番号、着信先の携帯電話機８０、２８０の電話番号、処理装置７０、２７０のアドレス情報を一度に送信した（図１、２に示す（４）、図４に示す（３））。しかし、発信元インターフェース２０、２２０と処理装置７０、２７０が接続可能であることが確認できたら、発信元の固定電話機１０、２１０の電話番号、着信先の携帯電話機８０、２８０の電話番号を送信するようにしてもよい。
各通信手段は、有線方式でも無線方式でもよい。
また、本明細書で使用している「携帯電話機」は、無線電話機、移動電話機、ＰＨＳ機、セルラ電話機等、あらゆる無線通信式の通信端末機器でもよい。すなわち、当該通信端末機器が携帯や移動に向く機器であるか否かは、本発明の要旨とは関係ない。
【００２７】
【発明の効果】
以上説明したように、請求項１、３に記載の発信代行システムによれば、発信元の電話機と着信先の電話機を安価に効率よく接続することができる。
請求項２に記載の発信代行システムによれば、端末装置を電話回線網もしくは通信ネットワークに接続することが容易である。
また、請求項４に記載の発信代行システムによれば、発信元の電話機と着信先の携帯電話機を迅速に接続することができる。
また、請求項５に記載の発信代行システムによれば、端末装置を電話回線網もしくは所定のアクセス回線に接続することが容易である。
また、請求項６に記載の発信代行システムによれば、発信元の電話機と着信先の電話機を効率よく接続することができる。
また、請求項７に記載の発信代行方法によれば、発信元の電話機と着信先の電話機を安価に効率よく接続することができる。
また、請求項８に記載の発信代行方法によれば、発信元の電話機と着信先の電話機を効率よく接続することができる。
【図面の簡単な説明】
【図１】本発明の発信代行システムの第１の実施の形態の概略図である。
【図２】本発明の発信代行システムの第１の実施の形態の概略図である。
【図３】処理装置７０が発信代行不可能な状態の時の説明図である。
【図４】本発明の発信代行システムの第２の実施の形態の概略図である。
【図５】従来技術を示す概略図である。
【符号の説明】
１０　　　　　　固定電話機
２０　　　　　　発信元インターフェース（端末装置）
３０、３１　　　電話回線網
４０　　　　　　中継装置
５０、５５　　　プロバイダ
６０　　　　　　インターネット
７０　　　　　　処理装置
８０　　　　　　携帯電話機
【図１】
2004023551.tif 000003
【図２】
2004023551.tif 000004
【図３】
2004023551.tif 000005
【図４】
2004023551.tif 000006
【図５】
2004023551.tif 000007